(57)【特許請求の範囲】
【請求項１】
線画を処理するため、表示手段と操作手段とを備えた線画処理装置であって、
前記線画によって表現された画像を構成する複数の閉領域を抽出する閉領域抽出手段と、
前記抽出された閉領域を前記表示手段に閉領域表示画面として表示する閉領域表示手段と、
前記閉領域表示画面にて前記操作手段によって指定された閉領域を画像レイヤとして抽出する画像レイヤ抽出手段と、
前記抽出された画像レイヤを前記表示手段に画像レイヤ表示画面として表示する画像レイヤ表示手段と、
を備え、
前記閉領域表示手段と画像レイヤ表示手段とが、前記表示手段に前記閉領域表示画面と前記画像レイヤ表示画面とを並列して表示し、
前記閉領域表示手段と画像レイヤ表示手段とによって前記表示手段に表示される前記閉領域表示画面および前記画像レイヤ表示画面において、前記閉領域表示画面における座標と前記画像レイヤ表示画面における座標とが、合同あるいは相似の関係とされることによって、各画面内の位置関係が共通とされること、
を特徴とする線画処理装置。
【請求項２】
請求項１に記載の線画処理装置であって、
前記操作手段によって前記閉領域表示画面において指定された閉領域を前記画像レイヤ表示画面に移動することにより、前記画像レイヤ抽出手段が前記閉領域を前記画像レイヤとして抽出し、前記閉領域表示手段が該画像レイヤの抽出元となった閉領域の表示を削除すること、
を特徴とする線画処理装置。
【請求項３】
請求項１に記載の線画処理装置であって、
前記操作手段によって前記画像レイヤ表示画面において指定された画像レイヤを前記閉領域表示画面に移動することにより、前記画像レイヤ抽出手段が前記画像レイヤを削除し、前記閉領域表示手段が該画像レイヤの抽出元となった閉領域を再表示すること、
を特徴とする線画処理装置。
【請求項４】
請求項１乃至３のいずれかに記載の線画処理装置であって、
前記画像レイヤ抽出手段によって抽出された画像レイヤに対して彩色を行なう彩色手段を備えること、
を特徴とする線画処理装置。
【請求項５】
請求項１乃至４のいずれかに記載の線画処理装置であって、
前記表示手段が、前記閉領域表示画面および前記画像レイヤ表示画面に対して、前記線画画像を参照用に表示すること、
を特徴とする線画処理装置。
【請求項６】
線画を処理するため、表示部と操作部とを備えたコンピュータにおいて線画処理を行なうためのプログラムであって、前記コンピュータのＣＰＵとメモリとによって、
前記線画によって表現された画像を構成する複数の閉領域を抽出する閉領域抽出ステップと、
前記抽出された閉領域を前記表示部に閉領域表示画面として表示する閉領域表示ステップと、
前記閉領域表示画面にて前記操作部によって指定された閉領域を画像レイヤとして抽出する画像レイヤ抽出ステップと、
前記抽出された画像レイヤを前記表示部に画像レイヤ表示画面として表示する画像レイヤ表示ステップと、
を備え、
前記閉領域表示ステップと画像レイヤ表示ステップとが、前記表示部に前記閉領域表示画面と前記画像レイヤ表示画面とを並列して表示し、
前記表示部に表示される前記閉領域表示画面および前記画像レイヤ表示画面において、前記閉領域表示画面における座標と前記画像レイヤ表示画面における座標とが、合同あるいは相似の関係とされることによって、各画面内の位置関係が共通とされること、
を特徴とするプログラム。
【発明の詳細な説明】
【技術分野】
【０００１】
線画に対して彩色を行なう線画処理装置であって、特に彩色時に便利な画像レイヤを作成するに際して有用なGUIを提供する線画処理装置に関する。
【背景技術】
【０００２】
マンガ（Manga）とは、英語のコミック（Comic）とはニュアンスが異なり、日本独自の風合いを持つ（モノクロ）線画のことを指す。マンガを出版物として印刷する場合、カラー印刷コストがかかるために、モノクロ印刷が中心であったため、階調表現や感情表現について、様々なトーンや掛け網、効果線、ベタ、など白黒による表現が行なわれていた。
【０００３】
しかし、最近では携帯電話において電子データ化されたマンガを購読できるサイトが急増しているため、マンガを液晶モニタで鑑賞する機会が増えたことにより、マンガのカラー化（彩色、Coloring）が求められている。また、海外では、モノクロマンガの文化がほとんどないために、海外における出版物として展開するためにはマンガのカラー化が必要となっている。このようなことから、線画画像によって表現されるマンガを電子データ化するに際して、彩色作業が必要とされている。
線画画像の彩色を簡便に行なうため、例えば下記のような技術が開示されている。
【特許文献１】特開２００７−２２００５６
【発明の開示】
【発明が解決しようとする課題】
【０００４】
線画画像の彩色を行なう際に有用なのが、画像レイヤ処理である。画像レイヤは、仮想的な透明シートとして取り扱われるものであり、彩色を行ないたい線画画像を複数の画像レイヤとして表示することで、各画像レイヤに対して個別に彩色を行なうことが可能となる。画像レイヤごとに彩色を行なうので修正や再彩色が容易であり、また画像レイヤを重複する順序を変更することにより影付けなどの効果を容易に変更することができる。
【０００５】
一般的に画像レイヤ処理を行なう場合、線画画像を複数コピーしたものを画像レイヤとして取扱い、該複数の画像レイヤに対してそれぞれ彩色処理を行なう。彩色処理が行なわれた画像レイヤを集合することにより、完全な彩色が行なわれた１枚の線画画像を得ることが可能となる。
しかし、このような画像レイヤ処理を利用した線画画像に対する彩色において、各画像レイヤそれぞれに彩色を行なう作業そのものは、従来行なわれている線画画像に対する彩色手法と同様、彩色したい部分に対して色を流し込む処理を行なう、あるいは彩色したい部分を拡大表示して手動で彩色を行なうというものであり、彩色作業に手間がかかるという問題が存在する。
【０００６】
また、最近では、線画によって表現される画像を構成する複数の閉領域から彩色を所望する閉領域を抽出し、該閉領域に対して色を流し込む処理を行なう技術が提案されている。この場合、彩色を所望する閉領域を抽出した上で彩色処理を実行するので、彩色ミスは起こらず効率のよい彩色処理を実現することができる。
しかし、マンガに対して彩色を行なう場合、線画で表現される画像であるキャラクタを構成する閉領域の数は多く、しかも複雑な形状を有しているため、所望する閉領域を抽出するのが困難であるという問題があった。例えば、髪の毛の描写等、複数の閉領域によってキャラクタを表現する一つの部品を構成することがある。この場合、「髪の毛」としては一つの領域だが、複数の閉領域によって髪の毛が表現されていることから、髪の毛を彩色する際には髪の毛を構成する複数の閉領域それぞれに彩色処理を行なわなければならないので、閉領域化による彩色処理の効率向上を得ることができない。
【０００７】
そこで、本願発明の課題は、従来技術の欠点を解消し、画像レイヤ処理による線画彩色の効率化と、閉領域抽出による線画彩色の効率化とを両立して実現する線画処理装置を提供することである。
【課題を解決するための手段】
【０００８】
かかる課題を解決する為に、請求項１に係わる発明は、線画を処理するため、表示手段と操作手段とを備えた線画処理装置であって、前記線画によって表現される画像を構成する複数の閉領域を抽出する閉領域抽出手段と、前記抽出された閉領域を前記表示手段に閉領域表示画面として表示する閉領域表示手段と、前記閉領域表示画面にて前記操作手段によって指定された閉領域を画像レイヤとして抽出する画像レイヤ抽出手段と、前記抽出された画像レイヤを前記表示手段に画像レイヤ表示画面として表示する画像レイヤ表示手段と、を備え、前記閉領域表示手段と画像レイヤ表示手段とが、前記表示手段に前記閉領域表示画面と前記画像レイヤ表示画面とを並列して表示し、前記閉領域表示手段と画像レイヤ表示手段とによって前記表示手段に表示される前記閉領域表示画面および前記画像レイヤ表示画面において、前記閉領域表示画面における座標と前記画像レイヤ表示画面における座標とが、合同あるいは相似の関係とされることによって、各画面内の位置関係が共通とされること、を特徴とする。
【００１０】
更に請求項２に係わる発明は、請求項１に記載の線画処理装置であって、前記操作手段によって前記閉領域表示画面において指定された閉領域を前記画像レイヤ表示画面に移動することにより、前記画像レイヤ抽出手段が前記閉領域を前記画像レイヤとして抽出し、前記閉領域表示手段が該画像レイヤの抽出元となった閉領域の表示を削除すること、を特徴とする。
【００１１】
加えて、請求項３に係わる発明は、請求項１に記載の線画処理装置であって、前記操作手段によって前記画像レイヤ表示画面において指定された画像レイヤを前記閉領域表示画面に移動することにより、前記画像レイヤ抽出手段が前記画像レイヤを削除し、前記閉領域表示手段が該画像レイヤの抽出元となった閉領域を再表示すること、を特徴とする。
【００１２】
また、請求項４に係わる発明は、請求項１乃至３のいずれかに記載の線画処理装置であって、前記画像レイヤ抽出手段によって抽出された画像レイヤに対して彩色を行なう彩色手段を備えること、を特徴とする。
【００１３】
更に、請求項５に係わる発明は、請求項１乃至４のいずれかに記載の線画処理装置であって、前記表示手段が、前記閉領域表示画面および前記画像レイヤ表示画面に対して、前記線画画像を参照用に表示すること、を特徴とする。
【００１４】
請求項６に係わる発明は、線画を処理するため、表示部と操作部とを備えたコンピュータにおいて線画処理を行なうためのプログラムであって、前記コンピュータのＣＰＵとメモリとによって、前記線画によって表現される画像を構成する複数の閉領域を抽出する閉領域抽出ステップと、前記抽出された閉領域を前記表示部に閉領域表示画面として表示する閉領域表示ステップと、前記閉領域表示画面にて前記操作部によって指定された閉領域を画像レイヤとして抽出する画像レイヤ抽出ステップと、前記抽出された画像レイヤを前記表示部に画像レイヤ表示画面として表示する画像レイヤ表示ステップと、を備え、前記閉領域表示ステップと画像レイヤ表示ステップとが、前記表示部に前記閉領域表示画面と前記画像レイヤ表示画面とを並列して表示し、前記表示部に表示される前記閉領域表示画面および前記画像レイヤ表示画面において、前記閉領域表示画面における座標と前記画像レイヤ表示画面における座標とが、合同あるいは相似の関係とされることによって、各画面内の位置関係が共通とされること、を特徴とする。
【発明の効果】
【００１５】
請求項１に記載の線画処理装置、および請求項６に記載のプログラムは、線画によって表現される画像を構成する複数の閉領域を抽出して表示手段に表示し、該表示された複数の閉領域のうち所望の閉領域を操作手段で指定することにより画像レイヤとして抽出する。この時、抽出された閉領域を表示する閉領域表示画面と、抽出された画像レイヤを表示する画像レイヤ表示画面とが表示手段に並列に表示されることにより、適切な閉領域を画像レイヤ化したか否かを容易に判別することができる。また、閉領域を複数指定すれば、該指定された複数の閉領域を画像レイヤとして抽出するので、複数の閉領域をまとめて一つの画像レイヤとして取り扱うことができる。これにより、画像レイヤ処理による線画彩色の効率化と、閉領域抽出による線画彩色の効率化とを両立して実現する、という作用効果を奏する。
【００１６】
また、請求項１に記載の線画処理装置、および請求項６に記載のプログラムは、閉領域表示画面と画像レイヤ表示画面における位置関係が共通なので、線画を構成する複数の閉領域のうち、どの閉領域を画像レイヤとして抽出したのかを容易に確認することができるので、画像レイヤ処理の効率を向上することができる。
【００１７】
請求項２に記載の線画処理装置は、画像レイヤとして抽出された閉領域を画像レイヤとして画像レイヤ表示画面に表示する際に、操作手段による移動操作に基づいて閉領域表示画面から該閉領域の表示を削除するので、閉領域が画像レイヤとして抽出されたことが明確になり、画像レイヤ処理の効率を向上することができる。
【００１８】
請求項３に記載の線画処理装置は、画像レイヤ表示画面に表示された画像レイヤを指定して閉領域表示画面に移動するような操作を操作手段によって行なうことにより、画像レイヤを削除して閉領域表示画面に該画像レイヤの抽出元となった閉領域を再表示するので、画像レイヤの変更を容易に行なうことができ、画像レイヤ処理の効率を向上することができる。
【００１９】
請求項４に記載の線画処理装置は、画像レイヤ抽出手段によって抽出された画像レイヤに対して彩色を行なうので、処理効率の向上した画像レイヤ処理を利用した彩色処理を実現することができる。
【００２０】
請求項５に記載の線画処理装置は、表示手段に表示された各線画画像を参照しながら操作手段による閉領域指定および画像レイヤ指定を行なうことができるので、画像レイヤ処理の効率を向上することができる。
【発明を実施するための最良の形態】
【００２１】
以下、図面を利用しながら、本発明を実施するための最良の形態について、説明を行なう。
【実施例１】
【００２２】
図１は本発明を実施するための線画処理装置の構成を示すための図である。
線画処理装置１は、一般的に使用されているパーソナルコンピュータであり、ＣＰＵ１１、表示部１２、入力部１３、ネットワークＩ／Ｆ１４、メディアドライブ１５、記憶部１６、メモリ１７より構成されている。
【００２３】
ＣＰＵ１１は、線画処理装置１全体を制御し、特にメディアドライブ１５に挿入されたメディアディスク１８に記録されているプログラム１８１をメモリ１７において実行することによって、線画処理装置１の機能を実現している。
表示部１２は、線画処理に必要な情報を表示するために使用される。入力部１３は、マウスやキーボード、ペンタブレット（登録商標）で構成されており、線画処理装置１に対してオペレータが指示を入力するために使用する。
ネットワークＩ／Ｆ１４は、線画処理装置１と図示しないネットワークとを接続するためのものである。ネットワークＩ／Ｆ１４を介して、線画処理装置１は図示しないネットワークから線画データＬＤを取得することができる。また、図示しないサーバより、線画処理装置１の機能を実現するプログラム１８１をダウンロードするようにしてもよい。
メディアドライブ１５は、メディアディスク１８に記録されているプログラム１８１を読み取るために使用する。メディアドライブ１５で読み取られたプログラム１８１により、線画処理装置１の機能が実現される。
記憶部１６は、メディアドライブ１５で読み取られたプログラム１８１を格納する。
【００２４】
メモリ１７は、記憶部１６によって記憶されたプログラム１８１をＣＰＵ１１が実行するためのワークエリアである。ＣＰＵ１１によってプログラム１８１が実行された結果、メモリ１７において、閉領域抽出部１７１、画像レイヤ抽出部１７２、処理画面表示部１７３、彩色部１７４の機能が実現する。
【００２５】
閉領域抽出部１７１は、線画によって表現された画像を構成する複数の閉領域をそれぞれ抽出する。閉領域抽出部１７１による閉領域抽出は既知の手法を使用することができる。抽出された閉領域は、閉領域抽出部１７１が一時的に保存する。
また、閉領域抽出部１７１は、閉じていない領域に対して閉領域化処理を行ない、閉領域として抽出するようにしてもよい。閉領域化については、オペレータが入力部１３を操作して、閉領域抽出部１７１によって実行するようにしてもよい。
【００２６】
画像レイヤ抽出部１７２は、後述するプロセスにより表示部１２に表示された閉領域が入力部１３によって指定されたとき、該指定された閉領域を画像レイヤとして抽出する。画像レイヤ抽出部１７２は、指定された閉領域のみをレイヤプレーンにコピーすることにより、指定された閉領域を画像レイヤとして格納する。画像レイヤ抽出部１７２による画像レイヤの抽出は、複数の閉領域を１枚のレイヤプレーンにコピーすることで、同一階層の画像レイヤに複数の閉領域によって表現される線画画像を追加することが可能である。抽出された画像レイヤは、画像レイヤ抽出部１７２が一時的に保存する。
また、画像レイヤ抽出部１７２は、入力部１３による操作により、抽出された画像レイヤを削除することも行なう。
【００２７】
処理画面表示部１７３は、閉領域抽出部１７１、画像レイヤ抽出部１７２、および後述する彩色部１７４による処理を表示部１２に表示する。また、処理画面表示部１７３は、入力部１３によって処理のために行なわれる操作も合わせて表示部１２に表示する。
そのために、処理画面表示部１７３は、閉領域表示部１７３１、画像レイヤ表示部１７３２、線画表示部１７３３を備えている。
【００２８】
閉領域表示部１７３１は、閉領域抽出部１７１によって抽出された複数の閉領域を、閉領域表示画面として表示部１２に表示する。閉領域表示画面に表示された閉領域が入力部１３によって指定され画像レイヤとして抽出された場合、閉領域表示部１７３１は該閉領域の表示を中止する。一方、画像レイヤが削除された場合、該画像レイヤを抽出するために指定された閉領域を閉領域表示部１７３１が再表示する。
【００２９】
画像レイヤ表示部１７３２は、画像レイヤ抽出部１７２によって抽出された画像レイヤを画像レイヤ表示画面として表示部１２に表示する。画像レイヤが抽出された場合、画像レイヤ表示部１７３２は該画像レイヤを画像レイヤ表示画面に表示する。一方、入力部１３によって、画像レイヤ表示画面に表示された画像レイヤが削除された場合、画像レイヤ表示部１７３２が該画像レイヤの表示を中止する。
【００３０】
処理画面表示部１７３は、閉領域表示部１７３１および画像レイヤ表示部１７３２によって表示される閉領域表示画面および画像レイヤ表示画面を表示部１２に並列に表示する。
【００３１】
また、処理画面表示部１７３は、閉領域表示画面および画像レイヤ表示画面における各画面内の位置関係が共通となるように、閉領域表示部１７３１および画像レイヤ表示部１７３２に対して表示処理を実行させる。すなわち、処理画面表示部１７３によって実行された閉領域表示部１７３１によって表示された閉領域表示画面における座標と、画像レイヤ表示部１７３２によって表示された画像レイヤ表示画面における座標とは合同あるいは相似の関係にある。
【００３２】
さらに、処理画面表示部１７３は、入力部１３によって閉領域表示画面あるいは画像レイヤ表示画面に表示されているいずれかの画面を操作すると、両画面に同時に該操作の結果を反映させる。
【００３３】
例えば、入力部１３によって閉領域表示画面に対するズーム処理を操作した場合、処理画面表示部１７３は、閉領域表示部１７３１に対して、指定された倍率でズーム処理を行なう処理を実行させることにより、指定された倍率でズーム処理された閉領域表示画面が表示部１２に表示される。と同時に、処理画面表示部１７３は、画像レイヤ表示部１７３２に対しても同様の倍率でズーム処理を実行させるので、指定された倍率でズーム処理された画像レイヤ表示画面が表示部１２に表示される。
逆に、例えば、画像レイヤ表示画面に対して入力部１３によってローミング処理を実行した場合、処理画面表示部１７３は入力された移動量に基づいて画像レイヤ表示部１７３２に対して画像レイヤ表示画面に表示された画像レイヤ表示を移動する。と同時に、処理画面表示部１７３は、閉領域表示部１７３１に対しても同様の移動量でローミング処理を実行させるので、指定された移動量で閉領域表示を移動する。
【００３４】
線画表示部１７３３は、入力部１３による操作時に参照となる線画データにおいて表現されている線画を閉領域表示画面および画像レイヤ表示画面に表示する。閉領域の抽出に使用された線画を閉領域表示画面に表示することにより、線画のいずれの部分の閉領域を画像レイヤとして抽出するかを容易に確認することができる。あるいは、閉領域の抽出に使用された線画を画像レイヤ表示画面に表示することにより、線画のいずれの部分の閉領域が画像レイヤとして抽出されたかを容易に確認することができる。
【００３５】
彩色部１７４は、画像レイヤ抽出部１７２によって抽出された画像レイヤに対して、彩色処理を行なう。画像レイヤ抽出部１７２によって抽出された画像レイヤは、閉領域抽出部１７１によって抽出された閉領域に基づいて抽出されているので、彩色部１７４は流し込み処理などの簡便な彩色動作を実行することが可能である。また、彩色部１７４は画像レイヤに対して彩色を行なうので、彩色対象となる閉領域を混同したり、あるいは彩色対象となる閉領域に対して間違った色を彩色するようなトラブルは生じない。
【００３６】
図２は、図１に示した線画処理装置１の動作を説明するためのフローチャートである。
まず、ステップＳ１において、線画処理装置１に対して、線画処理装置１のオペレータが線画データＬＤを入力する。線画データＬＤは、ネットワークＩ／Ｆ１４に接続された図示しないネットワークを介して、あるいはディスクドライブ１６に装着されたメディアディスク１８から線画処理装置１へ入力される。もしくは、線画処理装置１が線画作成機能（図示せず）を備えることにより、線画データＬＤを入力するようにしてもよい。
【００３７】
ステップＳ２において、閉領域抽出部１７１が入力された線画データＬＤから線画画像を構成する複数の閉領域ＨＡを抽出する。線画データＬＤから複数の閉領域ＨＡを抽出する技術については周知の技術を適宜使用することができる。
【００３８】
ステップＳ３において、処理画面表示部１７３が、線画処理を行なうための画面表示を実行する。処理画面表示部１７３が、線画処理画面を表示すると、閉領域表示部１７３１が、表示部１２に閉領域表示画面を表示してステップＳ２で抽出した複数の閉領域ＨＡを表示する。と同時に、処理画面表示部１７３は画像レイヤ表示部１７３２を起動して、表示部１２に画像レイヤ表示画面を表示する。
【００３９】
図３は、処理画面表示部１７３が線画処理を行なうため表示部１２に表示する線画処理画面ＳＧを図示したものである。
線画処理画面ＳＧは、閉領域表示画面ＨＧ、画像レイヤ表示画面ＧＧを備えており、入力部１３によって操作されるマウスポインタＭＰが表示される。さらに、線画処理画面ＳＧは、該マウスポインタＭＰにより入力を行なうための表示閉領域名称ボックスＬＤＢ、表示レイヤ名称ボックスＧＮＢ、参照線画表示選択ボックスＬＣＢ、閉領域→画像レイヤ移動ボタンＩＤＢ１、画像レイヤ→閉領域移動ボタンＩＤＢ２、彩色パレットＰＰ、保存ボタンＳＢ、キャンセルボタンＣＢを備えている。
なお、閉領域→画像レイヤ移動ボタンＩＤＢ１、画像レイヤ→閉領域移動ボタンＩＤＢ２、彩色パレットＰＰ、保存ボタンＳＢ、キャンセルボタンＣＢについては、説明を後述する。
【００４０】
閉領域表示画面ＨＧは、閉領域表示部１７３１が閉領域抽出部１７１によって線画データＬＤから抽出された複数の閉領域ＨＡを表示するための画面である。線画データＬＤにおいては、線画によって表現される画像は複数の閉領域ＨＡから構成される。閉領域表示画面ＨＧで、画像を構成する複数の閉領域ＨＡを表示することにより、画像レイヤとして抽出すべき閉領域を、線画処理装置１のオペレータが指定することができる。
【００４１】
表示閉領域名称ボックスＬＤＢは、閉領域表示画面ＨＧに表示されている複数の閉領域ＨＡの抽出元である線画データＬＤの名称を表示する。また、マウスポインタＭＰによって表示閉領域名称ボックスＬＤＢが指定された場合、入力部１３の入力に応じて、線画データＬＤの名称を入力する。それにより、閉領域表示部１７３１は、該入力された線画データＬＤの複数の閉領域ＨＡを閉領域表示画面ＨＧに表示する。
【００４２】
画像レイヤ表示画面ＧＧは、画像レイヤ表示部１７３２が画像レイヤ抽出部１７２によって抽出された画像レイヤＧＬを表示するための画面である。閉領域表示画面ＨＧに表示された複数の閉領域ＨＡのうち指定された閉領域ＨＡを画像レイヤ抽出部１７２が画像レイヤＧＬとして抽出することにより、画像レイヤＧＬが画像レイヤ表示画面ＧＧに表示される。画像レイヤＧＬは、線画によって表現される画像を構成する画像部品が階層を有するものであり、複数の画像レイヤＧＬを重複表示させることで、線画によって表現される画像が表示される。画像レイヤ表示画面ＧＧに表示された画像レイヤＧＬに対して、後述するプロセスで彩色を行なうことができる。
【００４３】
表示レイヤ名称ボックスＧＮＢは、画像レイヤ表示画面ＧＧに表示されている画像レイヤＧＬの名称及び階層を表示する。オペレータが入力部１３を操作してマウスポインタＭＰにて表示レイヤ名称ボックスＧＮＢを指定することにより、画像レイヤ表示画面ＧＧに表示された画像レイヤＧＬに対して名称及び階層を付与することができる。
【００４４】
参照線画表示選択ボックスＬＣＢは、閉領域表示画面ＨＧおよび画像レイヤ表示画面ＧＧに対して、線画データＬＤによって表現される線画画像を表示するかしないかを選択するためのチェックボックスである。閉領域表示画面ＨＧに表示された複数の閉領域ＨＡを画像レイヤＧＬとして抽出して画像レイヤ表示画面ＧＧに表示する後述のプロセスにおいて、線画データＬＤによる線画画像が表示されている方が作業の効率を向上する場合がある。そこで、線画画像を参照して作業したい場合に、参照線画表示選択ボックスＬＣＢにチェックを入れると、閉領域表示画面ＨＧおよび画像レイヤ表示画面ＧＧに対して、線画表示部１７３３が線画データＬＤの線画画像を表示する。
【００４５】
ステップＳ４にて、画像レイヤ抽出部１７２が閉領域表示画面ＨＧに表示された複数の閉領域ＨＡから画像レイヤＧＬを抽出する。線画処理画面ＳＧが表示された後、オペレータは閉領域表示画面ＨＧに表示された複数の閉領域ＨＡのうち所望の閉領域ＨＡを入力部１３を操作して指定する。指定後、オペレータはマウスポインタＭＰを操作して閉領域→画像レイヤ移動ボタンＩＤＢ１（図３参照）を押下する。閉領域→画像レイヤ移動ボタンＩＤＢ１が押下されることにより、画像レイヤ抽出部１７２が閉領域表示画面ＨＧにおいてオペレータが指定した閉領域ＨＡを画像レイヤＧＬとして抽出する。
【００４６】
また、閉領域→画像レイヤ移動ボタンＩＤＢ１の押下に対応して、閉領域表示部１７３１が画像レイヤＧＬとして抽出された閉領域ＨＡについて表示を中止し、画像レイヤ表示部１７３２が抽出された画像レイヤＧＬを画像レイヤ表示画面ＧＧに表示する。これにより、指定された閉領域ＨＡが画像レイヤＧＬとして抽出されたことが視覚的に理解しやすくなる。
【００４７】
ステップＳ５で、画像レイヤＧＬ抽出の継続について判定する。オペレータの判断により、画像レイヤＧＬの抽出が終了するならば、画像レイヤ抽出部１７２が表示レイヤ名称ボックスＧＮＢに対する画像レイヤＧＬの名称入力及び階層入力を促す。オペレータが、入力部１３を操作して表示レイヤ名称ボックスＧＮＢに対する入力を行ない、保存ボタンＳＢ（図３参照）を押下したならば、画像レイヤ抽出部１７２は該画像レイヤＧＬを格納する。その後、ステップＳ６へ移行する。
【００４８】
一方、画像レイヤＧＬの抽出を継続するならば、ステップＳ４へ帰還する。この場合、オペレータが行ないうる画像レイヤＧＬの抽出作業は、
（１）新規に画像レイヤＧＬを抽出する
（２）画像レイヤＧＬに新たな閉領域に基づく画像レイヤを追加する
（３）画像レイヤＧＬを削除する
のいずれかである。
【００４９】
（１）の場合、オペレータは入力部１３を操作して表示レイヤ名称ボックスＧＮＢに対して新規な画像レイヤＧＬの名称及び階層を入力し、ステップＳ４にて詳述した作業を実行することにより、画像レイヤ抽出部１７２が新規に画像レイヤＧＬを抽出する。
【００５０】
（２）の場合、ステップＳ４にて詳述した作業を実行した後、オペレータは入力部１３を操作して閉領域表示画面ＨＧに表示されている複数の閉領域ＨＡから、さらに閉領域ＨＡを指定する。その後、閉領域→画像レイヤ移動ボタンＩＤＢ１を押下することにより、指定された閉領域ＨＡを画像レイヤＧＬとして抽出し、既に抽出されている画像レイヤＧＬに対して追加する。
【００５１】
（２）に示した作業は、例えばキャラクタの「髪の毛」など、キャラクタを構成する画像部品としては１つだが、キャラクタを構成する閉領域としては複数からなる場合に有効である。すなわち、「髪の毛」は画像部品としては１つであるにも関わらず、複数の閉領域から構成されているので、従来の彩色手法では閉領域各々に対して同じ色を流し込む作業を繰り返さなければならないが、本発明に係わる線画処理装置１では、複数の閉領域を一つの画像レイヤとして取り扱うことができるので、彩色作業を一度で済ますことが可能となり、彩色処理を効率化することができる。
【００５２】
（３）の場合、オペレータは入力部１３を操作して、画像レイヤ表示画面ＧＧに表示されている画像レイヤＧＬを指定する。指定後、オペレータがマウスポインタＭＰを操作して画像レイヤ→閉領域移動ボタンＩＤＢ２（図３参照）を押下する。画像レイヤ→閉領域移動ボタンＩＤＢ２が押下されることにより、画像レイヤ抽出部１７２が指定された画像レイヤＧＬを削除する。
【００５３】
また、画像レイヤ→閉領域移動ボタンＩＤＢ２の押下に対応して、画像レイヤ表示部１７３２が指定された画像レイヤＧＬの表示を中止し、閉領域表示部１７３１が該画像レイヤＧＬの抽出元である閉領域ＨＡの表示を再開する。これにより、指定された画像レイヤＧＬが削除されたことが視覚的に理解しやすくなる。
【００５４】
線画処理装置１が、（１）乃至（３）の作業のうちいずれかを実行したならば、ステップＳ５の判定を再度行ない、線画処理装置１は、ステップＳ６へ移行するか、あるいはステップＳ４へ帰還するかの動作を実行する。
【００５５】
ステップＳ６では、画像レイヤＧＬに対して彩色処理を行なう。オペレータは入力部１３を操作して彩色部１７４を起動し、線画処理画面ＳＧに彩色パレットＰＰを表示する。彩色パレットＰＰは、画像レイヤＧＬに対して彩色可能な色に関わる複数の色ボタン、および彩色のための様々なツールボタンを備えている。オペレータは入力部１３を操作して、彩色パレットＰＰが備えている複数の色ボタンのうち所望の色ボタンを押下することにより、画像レイヤＧＬに対して所望の色を彩色することができる。また、入力部１３を操作して彩色パレットＰＰが備えているツールボタンのうち所望のツールボタンを押下することにより、画像レイヤＧＬに対して例えば「色の流し込み」、「エアブラシ」、「グラデーション」などの彩色手法を実行することができる。
【００５６】
彩色パレットＰＰによる彩色にオペレータが満足したならば、オペレータは保存ボタンＳＢを押下して、画像レイヤＧＬに対して行なった彩色処理を保存する。満足しなかった場合は、キャンセルボタンＣＢ（図３参照）を押下して、再度彩色処理を実行する。あるいは、ステップＳ４へ帰還して、画像レイヤＧＬの抽出を再度行なうようにしてもよい。
【００５７】
ステップＳ７では、他の線画データＬＤに対して、線画処理装置１による処理を行うか否かを判断する。他に線画データＬＤが存在し、線画処理装置１による処理が必要ならば、ステップＳ１に帰還し、これまで説明した動作を再度実行する。線画処理装置１による処理が不要ならば、動作を終了する。
【００５８】
図４は、線画処理画面ＳＧにおける閉領域表示画面ＨＧおよび画像レイヤ表示画面ＧＧによる画像レイヤＧＬ抽出処理を説明するための図である。
【００５９】
図４（ａ）は、閉領域表示画面ＨＧに線画画像を構成する複数の閉領域ＨＡが表示されているが、まだ画像レイヤＧＬが抽出されていない状態を示している。図示しているように、閉領域表示画面ＨＧには、閉領域抽出部１７１によって抽出された閉領域ＨＡ１、ＨＡ２、ＨＡ３が破線で表示されている。一方、画像レイヤ表示画面ＧＧにおいては、画像レイヤＧＬが抽出されていないので何も表示されていない。
なお、閉領域表示画面ＨＧに複数の閉領域ＨＡを表示するときは、各閉領域の区別を容易に行なえるように、閉領域ＨＡそれぞれに対して異なった色を配色しておくことが望ましい。
また、この説明では複数の閉領域ＨＡの数を３つとしているが、複数の閉領域ＨＡの数は３つに限定されることはない。
【００６０】
入力部１３を操作して、オペレータが参照線画表示選択ボックスＬＣＢにチェックを入れると、図４（ｂ）に示すように、参照線画として線画データＬＤによって表現される線画画像が実線で閉領域表示画面ＨＧおよび画像レイヤ表示画面ＧＧに表示される。これにより、キャラクタを構成する閉領域ＨＡのうちどれ指定して画像レイヤＧＬとして抽出するのか、あるいは画像レイヤＧＬとして取得すべき閉領域ＨＡの指定を容易に行なうことができる。
【００６１】
図４（ｃ）では、閉領域表示画面ＨＧおよび画像レイヤ表示画面ＧＧにおいて、閉領域ＨＡ２が画像レイヤＧＬ２として抽出された状態を示している。図示しているように、閉領域表示画面ＨＧにおいて閉領域ＨＡ２の表示は中止されており、画像レイヤ表示画面ＧＧにおいて閉領域ＨＡ２を抽出して得られた画像レイヤＧＬ２が破線で表示されている。
【００６２】
前述のように、閉領域表示画面ＨＧと画像レイヤ表示画面ＧＬの座標は合同あるいは相似の関係にあるので、閉領域ＨＡ２と画像レイヤＧＬ２の位置関係もまた合同あるいは相似の関係となり、複数の閉領域におけるどの閉領域を画像レイヤ抽出の対象にしたのかを直感的に理解できる。また、画像レイヤＧＬ２が表示され、抽出された元の閉領域ＨＡ２の表示が削除されたことにより、画像レイヤ抽出の対象となった閉領域をより一層明確にすることができる。
【００６３】
図５は、線画処理画面ＳＧにおける閉領域表示画面ＨＧおよび画像レイヤ表示画面ＧＧによる画像レイヤＧＬの追加処理および削除処理を説明するための図である。
【００６４】
図５（ａ）は、閉領域ＨＡ１を画像レイヤＧＬ１として、既に抽出していた画像レイヤＧＬ２に追加した状態を示した図である。オペレータは画像レイヤＧＬ２が抽出され、画像レイヤ表示画面ＧＧに表示されている状態で、入力部１３を操作して閉領域表示画面ＨＧに表示されている閉領域ＨＡ１を指定することにより、画像レイヤ抽出部１７２が該閉領域ＨＡ１を画像レイヤＧＬ１として抽出し、画像レイヤ表示部１７３２が画像レイヤ表示画面ＧＧに画像レイヤＧＬ１を破線で追加表示する。この時、閉領域表示画面ＨＧにおいて閉領域ＨＡ１の破線表示を中止するので、追加して指定された閉領域ＨＡ１が画像レイヤＧＬ１として抽出されたことを明確にすることができる。
【００６５】
図５（ｂ）は、画像レイヤＧＬ２を削除したことにより、閉領域表示画面ＨＧと画像レイヤ表示画面ＧＧにおいて生じた変化を示すための図である。画像レイヤ→閉領域移動ボタンＩＤＢ２が押下されて画像レイヤＧＬ２が削除されると、図示しているように、画像レイヤ表示部１７３２が画像レイヤＧＬ２の画像レイヤ表示画面における破線表示を中止する。合わせて閉領域表示部１７３１が画像レイヤＧＬ２の抽出元である閉領域ＨＡ２の破線表示を再開するので、画像レイヤＧＬ２が削除されたことが明確になり、画像レイヤ抽出作業の是非について容易に判定することができる。
【００６６】
このように、図１に示した線画処理装置１が図２に示したフローチャートのような動作を行なうことにより、画像レイヤ処理による線画彩色の効率化と、閉領域抽出による線画彩色の効率化とを両立して実現する、という作用効果を実現することができる。
変形例１：これまでの説明では、閉領域表示画面ＨＧと画像レイヤ表示画面ＧＧとの画面サイズが等倍であるように説明してきたが、前述のように閉領域表示画面ＨＧと画像レイヤ表示画面ＧＧの座標は合同乃至相似の関係にあるので、何れか一方の画面サイズが異なっていてもよい。
変形例２：これまでの説明では、閉領域表示画面ＨＧにおける複数の閉領域ＨＡを指定して画像レイヤＧＬとして抽出する動作、あるいは逆の動作について、線画処理画面ＳＧに表示された閉領域→画像レイヤ移動ボタンＩＤＢ１、画像レイヤ→閉領域移動ボタンＩＤＢ２を押下するものとして説明してきたが、閉領域表示画面ＨＧにて所望の閉領域ＨＡをマウスポインタＭＰで指定した後に、画像レイヤ表示画面ＧＧにドラッグ＆ドロップ処理することで閉領域ＨＡを画像レイヤＧＬとして抽出するようにしてもよい。その逆も実行可能である。あるいはメニューウィンドウを表示して、該メニューウィンドウにて閉領域ＨＡの画像レイヤＧＬ抽出、画像レイヤＧＬの削除を行なうようにしてもよい。
変形例３：これまでの説明では、１つの表示部１２に閉領域表示画面ＨＧおよび画像レイヤ表示画面ＧＧを表示する線画処理画面ＳＧが表示されるように説明をしてきたが、線画処理装置１が表示部１２を２つ備え、閉領域表示画面ＨＧと画像レイヤ表示画面ＧＧとが異なった表示部１２にそれぞれ表示されるようにしてもよい。
【図面の簡単な説明】
【００６７】
【図１】線画処理装置１の構成を説明するための図である。
【図２】線画処理装置１の動作を説明するためのフローチャートである。
【図３】線画処理画面ＳＧの説明を行なうための図である。
【図４】線画処理画面ＳＧにおける閉領域表示画面ＨＧおよび画像レイヤ表示画面ＧＧによる画像レイヤＧＬ抽出処理を説明するための図である。
【図５】線画処理画面ＳＧにおける閉領域表示画面ＨＧおよび画像レイヤ表示画面ＧＧによる画像レイヤＧＬの追加処理および削除処理を説明するための図である。
【符号の説明】
【００６８】
１  線画処理装置
１１  制御部
１２  表示部
１３  入力部
１４  ネットワークＩ／Ｆ
１５  ディスクドライブ
１６  記憶部
１７  メモリ
１７１  閉領域抽出部
１７２  画像レイヤ抽出部
１７３  処理表示部
１７４  彩色部
１８１、３８１  プログラム
１７３１  閉領域表示部
１７３２  画像レイヤ表示部
１７３３  線画表示部
ＧＧ  画像レイヤ表示画面
ＧＬ、ＧＬ１、ＧＬ２  画像レイヤ
ＧＮＢ  レイヤ名称表示ボックス
ＨＡ、ＨＡ１、ＨＡ２、ＨＡ３  閉領域
ＨＧ  閉領域表示画面
ＬＣＢ  参照線画表示選択ボックス
ＬＤ  線画データ
ＬＤＢ  表示閉領域名称ボックス
閉領域→画像レイヤ移動ボタンＩＤＢ１
画像レイヤ→閉領域移動ボタンＩＤＢ２
彩色パレット  ＰＰ
線画処理画面ＳＧ
【図１】
0005020862.tif 000002
【図２】
0005020862.tif 000003
【図３】
0005020862.tif 000004
【図４】
0005020862.tif 000005
【図５】
0005020862.tif 000006